(57)【要約】【課題】  操作性を損なわず、大型の表示装置を備えるデジタルカメラを提供する。【解決手段】  デジタルカメラ１は、カメラ本体２の背面に、主操作部材１１，１２，１３，１４，１５を備える操作部１０と、主表示装置８を備えるスライド部９とを有し、スライド部９は、カメラ本体２上で、操作部１０を覆い隠す収納位置と、操作部１０を露出させて一部分がカメラ本体２から突出する撮影位置との間をスライド可能である。【選択図】図３
2006113174.tif 000002
【特許請求の範囲】
【請求項１】
カメラ本体の背面に、主操作部材を備える操作部と、主表示装置を備えるスライド部とを有し、
前記スライド部は、前記カメラ本体上で、前記操作部を覆い隠す収納位置と、前記操作部を露出させて一部分が前記カメラ本体から突出する撮影位置との間をスライド可能であることを特徴とするデジタルカメラ。
【請求項２】
前記スライド部は、前記カメラ本体の投影面積とほぼ等しい大きさであることを特徴とする請求項１に記載のデジタルカメラ。
【請求項３】
前記主表示装置は、前記スライド部の表面のほぼ全域を占めることを特徴とする請求項１または２に記載のデジタルカメラ。
【請求項４】
前記主操作部材は、前記スライド部が前記収納位置にあるときは前記操作部に沈降し、前記スライド部が前記撮影位置にあるときは前記操作部から突出することを特徴とする請求項１から３のいずれかに記載のデジタルカメラ。
【請求項５】
前記操作部は、前記スライド部が前記収納位置にあるときは前記カメラ本体に沈降し、前記スライド部が前記撮影位置にあるときは前記カメラ本体から突出することを特徴とする請求項１から３のいずれかに記載のデジタルカメラ。
【請求項６】
前記スライド部は、前記撮影位置において前記カメラ本体から突出した部分の裏面に副表示装置を備えることを特徴とする請求項１から５のいずれかに記載のデジタルカメラ。
【請求項７】
前記スライド部は、前記撮影位置において前記カメラ本体から突出した部分の裏面に鏡を備えることを特徴とする請求項１から５のいずれかに記載のデジタルカメラ。
【請求項８】
前記主表示装置はタッチパネルスイッチが配設されていることを特徴とする請求項１から７のいずれかに記載のデジタルカメラ。
【請求項９】
前記スライド部は、前記主表示装置の周囲に副操作部材を有することを特徴とする請求項１から８のいずれかに記載のデジタルカメラ。
【請求項１０】
前記副操作部材は、主表示装置の表示設定に供されることを特徴とする請求項９に記載のデジタルカメラ。
【請求項１１】
前記主操作部材は、撮影操作に供されることを特徴とする請求項１から１０のいずれかに記載のデジタルカメラ。
【請求項１２】
前記カメラ本体は、さらに、ユーザが把持するグリップを有し、
前記スライド部は、前記収納位置において前記グリップを覆い隠し、前記撮影位置において前記グリップを露出させることを特徴とする請求項１から１１のいずれかに記載のデジタルカメラ。
【発明の詳細な説明】
【技術分野】
【０００１】
本発明は、デジタルカメラに関する。
【背景技術】
【０００２】
画像を電子情報として記録するデジタルカメラは、撮影時に撮像を確認するため、および、記録された画像を確認するためにカメラ本体の背面に液晶パネルなどの表示装置を備えているのが一般的である。そして、デジタルカメラに対しては、視認性が高いより大きな表示装置を備えるとともに、カメラ本体が小型であることへの要求が大きい。
【０００３】
また、デジタルカメラ本体の背面には、ユーザが撮影時にズーム操作などをするために必要な操作部材やカメラ本体を把持するためのグリップ部が必要である。このため、小型のデジタルカメラにおいては、表示装置の大きさが制限され、表示装置の大型化に対する要求を満たすことができないという問題がある。
【０００４】
特許文献１には、大型モニタを備えるカメラ本体をグリップ部内に収納可能とすることで、携帯時には小型化でき、撮影時には大型のモニタを使用できるようにしたカメラが記載されている。しかしながら、特許文献１のカメラは、カメラ本体を覆うような大きなグリップを設けるため、グリップがカメラの小型化を阻害する新たな要因となっている。
【特許文献１】特開平１１−２９８７７３
【発明の開示】
【発明が解決しようとする課題】
【０００５】
以上の問題点に鑑みて、本発明は、操作性を損なわず、大型の表示装置を備えるデジタルカメラを提供することを課題とする。
【課題を解決するための手段】
【０００６】
前記課題を解決するために、本発明のデジタルカメラは、カメラ本体の背面に、主操作部材を備える操作部と、主表示装置を備えるスライド部とを有し、前記スライド部は、前記カメラ本体上で、前記操作部を覆い隠す収納位置と、前記操作部を露出させて一部分が前記カメラ本体から突出する撮影位置との間をスライド可能であるものとする。
【０００７】
この構成によれば、デジタルカメラが小さいことが特に望まれる非使用時に、主表示装置が主操作部材と重なるようにカメラ本体の背面に配置されるので、小さなデジタルカメラにより大きな表示装置を設けることが可能である。また、主表示装置を備えるスライド部をスライドさせることにより、主操作部材を備える操作部を露出させるので、ユーザは従来通りに操作部を把持して主操作部材を操作することが可能であるので操作性も確保される。
【０００８】
また、本発明のデジタルカメラにおいて、前記スライド部は、前記カメラ本体の投影面積とほぼ等しい大きさであってもよく、前記主表示装置は、前記スライド部の背面のほぼ全域を占めてもよい。
【０００９】
この構成によれば、表示装置が大きいので視認性が高い。
【００１０】
また、本発明のデジタルカメラにおいて、前記主操作部材が、前記スライド部が前記収納位置にあるときは前記操作部に沈降し、前記スライド部が前記撮影位置にあるときは前記操作部から突出してもよく、或いは、前記操作部が、前記スライド部が前記収納位置にあるときは前記カメラ本体に沈降し、前記スライド部が前記撮影位置にあるときは前記カメラ本体から突出してもよい。
【００１１】
この構成によれば、収納位置にあるスライド部と主操作部材との間に主操作部材との干渉を避けるための空間を必要としないので、デジタルカメラを小型化できる。
【００１２】
また、本発明のデジタルカメラにおいて、前記スライド部は、前記撮影位置において前記カメラ本体から突出した部分の裏面に副表示装置または鏡を備えてもよい。
【００１３】
この構成によれば、撮影者が自分自身を撮影する際に、撮像を容易に確認することができる。
【００１４】
また、本発明のデジタルカメラにおいて、前記主表示装置はタッチパネルスイッチが配設されていてもよい。
【００１５】
この構成によれば、スライド部が収納位置にある時でも、デジタルカメラの操作が行える。
【００１６】
また、本発明のデジタルカメラにおいて、前記スライド部は、前記主表示装置の周囲に副操作部材を有してもよく、前記副操作部材は、主表示装置の表示設定に供されてもよい。
【００１７】
この構成によれば、スライド部が収納位置にある時でも、デジタルカメラの操作が行え、特に、副操作部材によって表示設定をして記録画像の確認などを行うことができる。
【００１８】
また、本発明のデジタルカメラにおいて、前記主操作部材は、撮影操作に供されてもよい。
【００１９】
この構成によれば、撮影操作に供する操作部材は、撮影時にしか操作する必要がなく、スライド部が収納位置にあるときは操作できなくてもよいので、操作性を損なわない。
【００２０】
また、本発明のデジタルカメラにおいて、前記カメラ本体は、さらに、ユーザが把持するグリップを有し、前記スライド部は、前記収納位置において前記グリップを覆い隠し、前記撮影位置において前記グリップを露出させてもよい。
【００２１】
この構成によれば、デジタルカメラは、視認性が高い大型の表示装置と、ホールド性を高めるグリップとをともに備えることができる。
【発明の効果】
【００２２】
以上のように、本発明によれば、操作性を損なわず、大型の表示装置を備えるデジタルカメラを提供できる。
【発明を実施するための最良の形態】
【００２３】
これより、本発明の実施形態について図面を参照しながら説明する。
図１に、本発明の第１実施形態であるデジタルカメラ１を示す。デジタルカメラ１は、箱形のカメラ本体２の前面に、ユーザが使用時に把持するためのグリップ３と、フラッシュ４と、レンズ５とが設けられ、カメラ本体２の上面に、レリーズ釦６と電源操作とモード設定を行うダイアルスイッチ７とが設けられている。
【００２４】
図２に示すように、デジタルカメラ１の背面には、主表示装置８を有するスライド部９が設けられている。スライド部９は、カメラ本体２の投影面積とほぼ等しい大きさであり、主表示装置８は、例えば液晶パネルからなり、スライド部９の表面（デジタルカメラ１の背面側）のほぼ全域を占める大型のディスプレイ装置である。
【００２５】
スライド部９は、カメラ本体２上で、図２に示す収納位置と、図３に示す撮影位置との間をスライド可能である。図３に示すように、スライド部９を撮影位置にスライドして移動すると、スライド部９の左側部分がカメラ本体２から突出して、スライド部９の右側に操作部１０が露出する。操作部１０には、撮影時にズーム操作を行うためのズーム釦１１と、機能選択をする選択スイッチ１２，１３，１４と、詳細な機能設定を行う操作釦１５との５つの主操作部材が設けられている。
【００２６】
また、図４に示すように、スライド部９は、撮影位置にスライドした状態でカメラ本体２から突出した部分の裏面（デジタルカメラ１の正面側）に、例えば小型の液晶パネルからなる副表示装置１６が設けられている。
【００２７】
続いて、以上の構成からなるデジタルカメラの特徴を説明する。
デジタルカメラ１は、カメラ本体２の投影面積とほぼ等しい大型の主表示装置８を備えるが、撮影時にはスライド部９を撮影位置にスライドさせることで、操作部１０が露出するので、ユーザは、主表示装置８を手で覆うことなく操作部１０を把持し、操作部１０に設けたズーム釦１１を操作して拡大率を選択してレリーズ釦６でシャッタを切ることができる。このため、デジタルカメラ１は、大型の主表示装置８による良好な視認性を確保しつつ、従来のデジタルカメラと同様に良好な操作性をも備える。また、デジタルカメラ１は、スライド部９を収納位置にスライドすることで、非撮影時には全体の大きさを小さくすることができるので携帯性に優れる。
【００２８】
さらに、デジタルカメラ１は、スライド部９のカメラ本体２から突出する部分の裏面に副表示装置１６を有しているので、ユーザが自分撮りをする場合などにも、撮影範囲や構図などが確認できるので都合がよい。副表示装置１５には、自分撮りの際に撮影方向を操作しやすいように画像を左右反対に表示してもよい。また、代案として表示装置１６に換えて鏡を設けてもよい。
【００２９】
デジタルカメラ１において、ユーザがデジタルカメラ１を操作できるためには、主操作部材１１，１２，１３，１４，１５が操作部１０から突出している必要がある。スライド部９の裏側に主操作部材１１，１２，１３，１４，１５との干渉を避けるための空間を設けてもよいが、デジタルカメラ１を薄型にする上では不利になってしまう。対策として、操作部１０の主操作部材１１，１２，１３，１４，１５の周囲を部分的に凹ませてもよいが、操作部１０の面積が大きくなりデジタルカメラ１が大きくなる原因となることがある。そこで、図５に示すように、スライド部９を収納位置にスライドさせるときは、スライド部材９の移動に伴って主操作部材１１，１２，１３，１４，１５を操作部１０から突出しないように沈降させてもよい。また、代案として、図６に示すように、スライド部材９の移動に伴って操作部１０をカメラ本体２に沈降させてもよい。
【００３０】
また、デジタルカメラ１において、主表示装置８は、タッチパネルスイッチが配設されたタッチパネルであってもよく、タッチパネルスイッチによって、非撮影時にスライド部９を撮影位置にスライドさせることなく、既に記録されている画像を再生表示する際の操作などを行えるようにすることができる。
【００３１】
次に、本発明の異なる実施形態について説明する。
図７は、本発明の第２実施形態であるデジタルカメラ２１を示す。デジタルカメラ２１は、箱形のカメラ本体２２の上面にレリーズ釦２３および電源スイッチ２４と、カメラ本体２２の正面にフラッシュ２５およびレンズ２６と、カメラ本体２２の背面にスライド部２７とが設けられている。カメラ本体２２の背面のスライド部２７は、図８に示すように、カメラ本体２２の投影範囲内に収まる収納位置と、図９に示すように、カメラ本体２２のから左側部分が突出する撮影位置との間をスライド可能である。スライド部２７には、例えば液晶パネルからなる主表示装置２８と、主表示装置２８の下部に４つの表示設定に供される副操作部材２９，３０，３１，３２とが設けられている。また、スライド部２７が収納位置にあるときは覆い隠され、撮影位置にスライドされたときに露出する操作部３３には、ズーム操作などの撮影操作に供する十字釦３４、静止画撮影を開始する静止画釦３５、動画撮影を開始する動画釦３６、セルフタイマによる撮影を開始するタイマ釦３７および手振れ補正の有無を設定する手振れ釦３８の５つの撮影操作に供される主操作部材と、ユーザが撮影時にカメラ本体２２を容易に把持できるためのグリップ３９が設けられている。
【００３２】
以上の構成のデジタルカメラ２１は、第１実施形態のデジタルカメラ１と同様に、スライド部２７の上に視認性のよい大画面の表示装置２８を有しながら、スライド部２７を撮影位置にスライドさせることで操作部３３を露出させて撮影時の操作性を確保している。
【００３３】
さらに、本実施形態のデジタルカメラ２１は、スライド部２７が収納位置にあるときでも、スライド部２７の表面で主表示装置２８の下に設けた副操作部材２９，３０，３１，３２によって表示設定をして任意の記録画像を再生表示するができる。また、グリップ３９を設けてあるので、ユーザはカメラ本体２２をしっかりと保持しながら十字釦３４を操作して撮影を行うことができる。
【００３４】
本実施形態においても、第１実施形態について説明したように、主操作部材３４，３５，３６，３７，３８を操作部３３に沈降、或いは、操作部３３をカメラ本体２２に沈降させてもよく、スライド部２７のカメラ本体２２から突出する部分の裏面に副表示装置または鏡を設けることもできる。
【図面の簡単な説明】
【００３５】
【図１】本発明の第１実施形態であるデジタルカメラの正面図。
【図２】図１のデジタルカメラのスライド部が収納位置にあるときの後方からの斜視図。
【図３】図１のデジタルカメラのスライド部が撮影位置にあるときの後方からの斜視図。
【図４】図１のデジタルカメラのスライド部が撮影位置にあるときの前方からの斜視図。
【図５】図１のデジタルカメラのスライド部が収納位置にあるときの操作部を示す前方からの斜視図。
【図６】図６の操作部の代案を有する図１のデジタルカメラの後方からの斜視図。
【図７】本発明の第２実施形態であるデジタルカメラの前方からの斜視図。
【図８】図７のデジタルカメラのスライド部が収納位置にあるときの背面図。
【図９】図８のデジタルカメラのスライド部が撮影位置にあるときの背面図。
【符号の説明】
【００３６】
１，２１  デジタルカメラ
２，２２  カメラ本体
８，２８  主表示装置
９，２７  スライド部
１０，３３  操作部
１１，１２，１３，１４，１５  主操作部材
３４，３５，３６，３７，３８  主操作部材
１６  副表示装置
２９，３０，３１，３２  副操作部材
３９  グリップ
【図１】
2006113174.tif 000003
【図２】
2006113174.tif 000004
【図３】
2006113174.tif 000005
【図４】
2006113174.tif 000006
【図５】
2006113174.tif 000007
【図６】
2006113174.tif 000008
【図７】
2006113174.tif 000009
【図８】
2006113174.tif 000010
【図９】
2006113174.tif 000011